(57)【要約】【課題】３次元表示や高解像度化がさらに進んだ場合においても、高い精度を得ることができるプロジェクターを提供する。【解決手段】同一部品３３上に投射レンズ５と第１のプリズム４、２つの第２のプリズム３０とを配置し、投射レンズ５と同じ軸上の第２プリズム３０上に、画像表示素子３１を調整して配置し、同様に投射レンズの軸から離れて位置する第２プリズム３０上に、画像表示素子３１を調整して配置する。したがって、高い精度のプロジェクターを生産することができる。【選択図】図１
2012118173.tif 000002
【特許請求の範囲】
【請求項１】
光源から射出された光をダイクロイックミラーでＲＧＢ３色の光に分離し前記ＲＧＢ各色の光をそれぞれ画像表示素子に照射し画像信号が入力される前記画像表示素子によって変調した前記ＲＧＢ各色の光を合成する画像合成光学装置を２系統有し、前記２系統の画像合成光学装置から射出される光を合成して投射レンズより投射するプロジェクターであって、
合成ベース上に、前記２系統の画像合成光学装置から射出される光を合成する第１のプリズムと前記２系統の画像合成装置それぞれにおいて前記ＲＧＢ各色の光を合成する第２のプリズムとを備え、前記画像表示素子の位置を調整して固定することを特徴とするプロジェクター。
【請求項２】
請求項１に記載のプロジェクターにおいて、投射レンズと直交に配置されている第２のプリズムに対して、ＲＧＢそれぞれの画像表示装置の位置を調整して固定したのちに、前記投射レンズと平行に配置されている第２のプリズムに対して、ＲＧＢ各色の画像表示素子の位置を調整して固定していることを特徴とするプロジェクター。
【請求項３】
請求項１に記載のプロジェクターにおいて、投射レンズと直交に配置されている第２のプリズムに対して、１色の画像表示素子の位置を調整して固定したのち、前記投射レンズと平行に配置されている第２のプリズムに対して、同じ色の画像表示装置の位置を調整して固定したのち、前記投射レンズと直交に配置されている第２のプリズムの残りの２色の画像表示素子の位置を調整して固定し、前記投射レンズと平行に配置されている第２のプリズムの残りの２色の画像表示素子の位置を調整して固定していることを特徴とするプロジェクター。
【請求項４】
請求項１に記載のプロジェクターにおいて、２つの第２のプリズムが、それぞれプリズムベース上に固定され、２つの前記第２のプリズムを固定した前記プリズムベースが合成ベース上に固定され、２つの前記第２のプリズムを固定した２つの前記プリズムベースの着脱を容易にしたことを特徴とするプロジェクター。
【請求項５】
請求項４に記載のプロジェクターにおいて、投射レンズと直交に配置されている第２のプリズムに対して、ＲＧＢそれぞれの画像表示装置の位置を調整して固定したのちに、前記投射レンズと平行に配置されている第２のプリズムに対して、ＲＧＢ各色の画像表示素子の位置を調整して固定していることを特徴とするプロジェクター。
【請求項６】
請求項４に記載のプロジェクターにおいて、投射レンズと直交に配置されている第２のプリズムに対して、１色の画像表示素子の位置を調整して固定したのち、前記投射レンズと平行に配置されている前記第２のプリズムに対して、同じ色の画像表示装置の位置を調整して固定したのち、前記第２のプリズムの残りの２色の画像表示素子の位置を調整して固定し、前記第２のプリズムの残りの２色の画像表示素子の位置を調整して固定していることを特徴とするプロジェクター。
【発明の詳細な説明】
【技術分野】
【０００１】
本発明は、画像信号を持った複数色の光を合成する画像合成光学装置を備えた光学ユニットを２系統備えたプロジェクターに関する。
【背景技術】
【０００２】
従来のプロジェクターは、光源から照射された光を、ダイクロイックミラーでＲＧＢの３色に分離し、各色の分離光が各色の画像表示装置に投射し、画像信号に応じて変調し、変調した光をダイクロイックプリズムにて合成し、投射レンズよりスクリーン上へ投射される。
【０００３】
近年、プロジェクターの３次元表示や高輝度化、高解像度化の要求が高まってきており、１つの装置内に調整可能な２つの画像投射装置の出力画像を偏光ビームスプリッター（ＰＢＳ）等で合成して、投射レンズを介して投射することにより、ユーザーが簡単に設置できる装置を実現している（特許文献１参照）。
【先行技術文献】
【特許文献】
【０００４】
【特許文献１】特開２００９−１９２９７１号公報
【発明の概要】
【発明が解決しようとする課題】
【０００５】
しかしながら、３次元表示や高解像度化がさらに進み、より大画面で見る場合、高い精度で２つの画像を合成させなければならず、特許文献１に記載の光学調整装置では各画像投射装置の出力画像を合成するため、十分に補正出来ないという問題がある。
【０００６】
そこで、本発明は、高い精度を得ることができるプロジェクターを提供することを目的とする。
【課題を解決するための手段】
【０００７】
上記課題に鑑み、本発明のプロジェクターは、光源から射出された光をダイクロイックミラーでＲＧＢの３色に分離し、各色の光が各画像表示素子に投射され、画像信号に応じて変調した光を合成し投射する画像合成光学装置を２系統有し、２つの前記画像合成光学装置から射出される光を合成して、投射レンズより投射するプロジェクターであって、合成ベース上に、２つの前記画像合成光学装置から射出される光を合成する第１のプリズムと画像信号に応じて変調した各色の光を合成する２系統の第２のプリズムとを備え、各色の画像表示素子の位置を調整して固定していることを特徴とするプロジェクター。
【発明の効果】
【０００８】
本発明では、独立して画像表示素子を調整することができるため、プリズムの位置や性能特性に合わせて調整することができる。
【０００９】
したがって、各画像投射装置の出力画像を調整したもの同士を、ＰＢＳ等で合成した場合と比較して、より高い精度で調整することが可能となり、より高解像度の映像を提供することができる。
【図面の簡単な説明】
【００１０】
【図１】本発明に係るプロジェクターの概略構成図
【図２】本発明の第１、第２の実施の形態における光学調整構造の概略構成図
【図３】本発明の第３、第４の実施の形態における光学調整構造の概略構成図
【発明を実施するための形態】
【００１１】
以下に本発明の実施の形態について、図面を参照しながら説明する。
【００１２】
（実施の形態１）
図１は、プロジェクターの構成を示す概略図である。
【００１３】
プロジェクターは、水銀ランプ等の光源１０からなる２つの光学装置１と、光源１０から投射された光をＲＧＢの３色に分離する２つの光学装置１に対応した色分離光学装置２と、分離した各色の光の画像情報に応じて変調し、画像光を形成する２つの画像合成光学装置３があり、ＰＢＳプリズム４で２つの画像情報を合成し、投射レンズ５によりスクリーン上に映像を映し出す。
【００１４】
光学装置１は、光源１０とコリメートレンズ１１と第１レンズアレイ１２、第２レンズアレイ１３、偏光変換素子１４と重畳レンズ１５とを備えて構成されており、光源１０から射出した光を被照明領域で結像させるものである。光源１０からでた光は、コリメートレンズにより、光を光軸と平行化し、第１レンズアレイ１２に入射する。
【００１５】
第１レンズアレイ１２と第２レンズアレイ１３は、マトリクス状に配列された小レンズによって構成されており、光源１０より入射した光をスクリーン面上での明るさを均一にし、ムラを少なくする。
【００１６】
第２レンズアレイ１３を透過した光源１０からの光は、偏光変換素子１４によって、１方向の偏光方向の直線偏光に変換される。また、投射レンズ５と直交する方向よりＰＢＳプリズム４に入射される光の光学装置１における偏光変換素子１４にて変換される直線偏光は、投射レンズ５と平行する方向よりＰＢＳプリズム４に入射される光の光学装置１における偏光変換素子１４にて変換される直線偏光とは異なる種類の偏光方向を有する。
【００１７】
色分離光学装置２は、第１、第２のダイクロイックミラー２１、２２と３つの反射ミラー２３、第１と第２のリレーレンズ２４、２５より構成される。
【００１８】
まず、第１のダイクロイックミラー２１により、赤成分の光が反射され、緑、青成分の光が透過する。反射した赤成分の光は、反射ミラー２３で反射され、フィールドレンズ２６へ入射される。第１のダイクロイックミラー２１を透過した緑と青成分の光は第２ダイクロイックミラー２２により緑成分を反射し、青成分の光が透過される。反射した緑成分の光は、フィールドレンズ２６へ入射される。また、第２のダイクロイックミラー２２を透過した青成分の光は、第１、第２のリレーレンズ２４、２５や２つの反射ミラー２３を介して、フィールドレンズ２６へ入射される。青成分の光の光路が、他の２色の光よりも長いため光の拡散等による光の利用効率の低下を防止するために、第１、第２のリレーレンズ２４、２５が用いられている。この構成では、青成分の光の光路長が長い構成としているが、赤成分の光の光路長が長い構成としても良い。
【００１９】
次に画像合成光学装置３は、入射した各色の光をそれぞれの画像情報に応じて変調し、画像を形成し、画像を合成するものである。これは、３つの液晶パネル３１と各液晶パネル３１の入射側に配置される、３つの入射偏光板２７と、各液晶パネル３１の出射側に配置される３つの出射偏光板３２と、３つの出射偏光板３２を透過した画像光を合成するクロスダイクロイックプリズム３０とを備えて構成している。
【００２０】
３つの入射偏光板２７は、色分離光学装置２で分離された各色の光において偏光変換素子１４によって揃えられた偏光方向と同一の偏光方向のみを透過させ、その他の光は吸収し、熱に変える。
【００２１】
入射偏光板２７を通ったそれぞれの光は、各色に対応した液晶パネル３１に入射され、入力される画像情報に応じて液晶の配光状態が制御されることで光の偏光方向を変調する。
【００２２】
液晶パネル３１を透過した各色の光はそれぞれ、出射偏光板３２により一方方向の偏光方向のみを透過し、その他の光を吸収し、熱に変える。
【００２３】
ダイクロイックプリズム３０は、各出射偏光板３２より出射された各色の光を合成して画像を形成する。このクロスダイクロイックプリズム３０は、４つの直角プリズムを貼り合わせて形成されており、直角プリズム同士を張り合わせた境界面は、誘電体多層膜が形成されている。境界面において、緑成分の光に対応した液晶パネル３１と出射偏光板３２を透過した光に対しては透過し、青成分及び赤成分の光に対応した液晶パネル３１と出射偏光板３２を透過した光に対しては反射する。これにより、合成した光が出射される。
【００２４】
２つのダイクロイックプリズム３０より出射された光は、ＰＢＳプリズム４と投射レンズ５を介してスクリーン上へ投射される。
【００２５】
ＰＢＳプリズム４は２つの直角プリズムを貼り合わせて構成され、各直角プリズムを貼り合せた境界面に形成された誘電体偏光膜にて、一方の偏光方向を透過、もう一方を反射させて２つより出射された光を合成する。本形態においては、投射レンズ５と平行にダイクロイックプリズム３０を配置した光学ユニット０Ａから出射される光を透過し、投射レンズ５と直交してダイクロイックプリズム３０を配置した光学ユニット０Ｂから出射される光を反射する。ＰＢＳプリズム４を透過した光は、投射レンズ５によりスクリーン上に拡大投射する。
【００２６】
次にプロジェクターの光学調整方法について説明する。図２は、実施の形態１における光学調整構造の概略構成を示す図である。本説明では、合成ベース３３に配置される画像合成光学装置３、ＰＢＳプリズム４、投射レンズ５における位置、姿勢の調整方法を説明する。投射レンズ５に対して平行して配置される色分離光学装置２の各部品を平行側とし、投射レンズ５に対して直交して配置される色分離光学装置２の各部品を直交側とする。また、合成ベース３３はアルミダイキャスト等の剛性のある材料を使用する。
【００２７】
投射レンズ５は、合成ベース３３にネジ等により固定する。次にこの投射レンズ５に対して合成ベース３３上にて、ＰＢＳプリズム４を回転させて位置及び姿勢を調整する。ＰＢＳプリズムの固定方法は、ＵＶ接着等により合成ベース３３上に固着される。このＰＢＳプリズム４に合わせて平行側及び直交側ダイクロイックプリズム３０を配置する。ダイクロイックプリズム３０は、合成ベース３３上にＵＶ接着等により固定される。この平行側及び直交側のダイクロイックプリズム３０についても、投射レンズ５に対して回転させて位置及び姿勢を調整する。また、平行側及び直交側ダイクロイックプリズム３０は各色の液晶パネル３１を取り付けることが出来るように、各面に対して２つ以上のピンのあるダイクロイックプリズムホルダー３４と固定されている。このダイクロイックプリズムホルダー３４は、ＰＢＴ等の抜き勾配が少なく精度良い樹脂の材料で出来ており、分割していても良い。また、ダイクロイックプリズム３０とダイクロイックプリズムホルダー３４とは、ＵＶ接着等により固着して固定され、各出射偏光板３２についても、ダイクロイックプリズムホルダー３４側に両面テープ等により固定されている。
【００２８】
次に各色の液晶パネル３１の調整について説明する。液晶パネルの調整は、各色の液晶パネル３１の位置、姿勢を調整するために、各色の液晶パネル３１の画素情報によりＸＹＺ軸とそのＸＹＺ軸を中心とする角回転角のΦ、θ、Ψの６軸調整を行う。投射レンズ５に対するフォーカス特性にて、Ｚ、Φ、θ軸を調整し、コンバーゼンス特性にてＸ、Ｙ、θ軸を調整する。
【００２９】
まず、平行側のダイクロイックプリズム３０上にて、緑の液晶パネル３１について、投射レンズ５上に投射される映像を見ながら、フォーカス特性について調整を行う。それに合わせて、平行側のダイクロイックプリズム３０上にて、赤及び青の液晶パネル３１についてフォーカス特性及びコンバーゼンス特性の調整を行う。
【００３０】
次に直交側のダイクロイックプリズム３０上にて、先ほど調整した平行側の液晶パネル３１の画像上に合わせて、緑の液晶パネル３１についてフォーカス特性及びコンバーゼンス特性の調整を行い、同様に直交側のダイクロイックプリズム３０にて赤及び青の液晶パネル３１についてフォーカス及びコンバーゼンス特性の調整を行う。
【００３１】
以上により、１つの部品である合成ベース３３上に２つの画像合成光学装置３、ＰＢＳプリズム４と投射レンズ５が配置されることにより各部品の誤差を液晶パネル３１のアライメント調整にて補正することができ、高い精度の映像が提供できる。
【００３２】
（実施の形態２）
以下に、第２の実施の形態における光学調整方法について説明する。第１の実施の形態にて説明したプロジェクターの構成については同じであるため、詳細は省略する。
【００３３】
図２は、実施の形態２における光学調整構造の概略構成を示す図である。本説明では、合成ベース３３に配置される画像合成光学装置３、ＰＢＳプリズム４、投射レンズ５における位置、姿勢の調整方法を説明する。投射レンズ５に対して平行して配置される色分離光学装置２の各部品を平行側とし、投射レンズ５に対して直交して配置される色分離光学装置２の各部品を直交側とする。また、合成ベース３３はアルミダイキャスト等の剛性のある材料を使用する。
【００３４】
投射レンズ５は、合成ベース３３にネジ等により固定する。次にこの投射レンズ５に対して合成ベース３３上にて、ＰＢＳプリズム４を回転させて位置及び姿勢を調整する。ＰＢＳプリズムの固定方法は、ＵＶ接着等により合成ベース３３上に固着される。このＰＢＳプリズム４に合わせて平行側及び直交側ダイクロイックプリズム３０を配置する。ダイクロイックプリズム３０は、合成ベース３３上にＵＶ接着等により固定される。この平行側及び直交側のダイクロイックプリズム３０についても、投射レンズ５に対して回転させて位置及び姿勢を調整する。また、平行側及び直交側ダイクロイックプリズム３０は各色の液晶パネル３１を取り付けることが出来るように、各面に対して２つ以上のピンのあるダイクロイックプリズムホルダー３４と固定されている。このダイクロイックプリズムホルダー３４は、ＰＢＴ等の抜き勾配が少なく精度良い樹脂の材料で出来ており、分割していても良い。また、ダイクロイックプリズム３０とダイクロイックプリズムホルダー３４とは、ＵＶ接着等により固着して固定され、各出射偏光板３２についても、ダイクロイックプリズムホルダー３４側に両面テープ等により固定されている。
【００３５】
次に各色の液晶パネル３１の調整について説明する。液晶パネルの調整は、各色の液晶パネル３１の位置、姿勢を調整するために、各色の液晶パネル３１の画素情報によりＸＹＺ軸とそのＸＹＺ軸を中心とする角回転角のΦ、θ、Ψの６軸調整を行う。投射レンズ５に対するフォーカス特性にて、Ｚ、Φ、θ軸を調整し、コンバーゼンス特性にてＸ、Ｙ、θ軸を調整する。
【００３６】
まず、平行側のダイクロイックプリズム３０上にて、緑の液晶パネル３１について、投射レンズ５上に投射される映像を見ながら、フォーカス特性について調整を行う。それに合わせて、直交側のダイクロイックプリズム３０上にて、先ほど調整した平行側の緑の液晶パネル３１の画像上に合わせて、直交側の緑の液晶パネル３１についてフォーカス特性及びコンバーゼンス特性の調整を行う。
【００３７】
次に平行側のダイクロイックプリズム３０上にて、赤及び青の液晶パネル３１についてフォーカス特性及びコンバーゼンス特性の調整を行う。同様に直交側のダイクロイックプリズム３０にて赤及び青の液晶パネル３１についてフォーカス及びコンバーゼンス特性の調整を行う。
【００３８】
そうすることで、１つの部品である合成ベース３３上に２つの画像合成光学装置３、ＰＢＳプリズム４と投射レンズ５が配置されることにより各部品の誤差を液晶パネル３１のアライメント調整にて補正することができ、高い精度の映像が提供できる。
【００３９】
（実施の形態３）
以下に、第３の実施の形態における光学調整方法について説明する。第１の実施の形態にて説明したプロジェクターの構成については同じであるため、詳細は省略する。
【００４０】
図３は、実施の形態３における光学調整構造の概略構成を示す図である。本説明では、合成ベース３３に配置される画像合成光学装置３、ＰＢＳプリズム４、投射レンズ５における位置、姿勢の調整方法を説明する。画像合成光学装置３は、合成ベース３３とは別部品のダイクロイックプリズムベース３５に固定される。投射レンズ５に対して平行して配置される色分離光学装置２の各部品を平行側とし、投射レンズ５に対して直交して配置される色分離光学装置２の各部品を直交側とする。また、合成ベース３３はアルミダイキャスト等の剛性のある材料を使用する。
【００４１】
投射レンズ５は、合成ベース３３にネジ等により固定する。次にダイクロイックプリズム３０を固定するため、合成ベース３３上にダイクロイックプリズムベース３５をネジ等により固定する。次に投射レンズ５に対して合成ベース３３上にて、ＰＢＳプリズム４を回転させて位置及び姿勢を調整する。ＰＢＳプリズムの固定方法は、ＵＶ接着等により合成ベース３３上に固着される。このＰＢＳプリズム４に合わせて平行側及び直交側ダイクロイックプリズム３０を配置する。ダイクロイックプリズム３０は、ダイクロイックプリズムベース３５上にＵＶ接着等により固定される。この平行側及び直交側のダイクロイックプリズム３０についても、投射レンズ５に対して回転させて位置及び姿勢を調整する。また、平行側及び直交側ダイクロイックプリズム３０は各色の液晶パネル３１を取り付けることが出来るように、各面に対して２つ以上のピンのあるダイクロイックプリズムホルダー３４と固定されている。このダイクロイックプリズムホルダー３４は、ＰＢＴ等の抜き勾配が少なく精度良い樹脂の材料で出来ており、分割していても良い。また、ダイクロイックプリズム３０とダイクロイックプリズムホルダー３４とは、ＵＶ接着等により固着して固定され、各出射偏光板３２についても、ダイクロイックプリズムホルダー３４側に両面テープ等により固定されている。
【００４２】
次に各色の液晶パネル３１の調整について説明する。液晶パネルの調整は、各色の液晶パネル３１の位置、姿勢を調整するために、各色の液晶パネル３１の画素情報によりＸＹＺ軸とそのＸＹＺ軸を中心とする角回転角のΦ、θ、Ψの６軸調整を行う。投射レンズ５に対するフォーカス特性にて、Ｚ、Φ、θ軸を調整し、コンバーゼンス特性にてＸ、Ｙ、θ軸を調整する。
【００４３】
まず、平行側のダイクロイックプリズム３０上にて、緑の液晶パネル３１について、投射レンズ５上に投射される映像を見ながら、フォーカス特性について調整を行う。それに合わせて、平行側のダイクロイックプリズム３０上にて、赤及び青の液晶パネル３１についてフォーカス特性及びコンバーゼンス特性の調整を行う。
【００４４】
次に直交側のダイクロイックプリズム３０上にて、先ほど調整した平行側の液晶パネル３１の画像上に合わせて、緑の液晶パネル３１についてフォーカス特性及びコンバーゼンス特性の調整を行い、同様に直交側のダイクロイックプリズム３０にて赤及び青の液晶パネル３１についてフォーカス及びコンバーゼンス特性の調整を行う。
【００４５】
そうすることで、１つの部品である合成ベース３３上に２つの画像合成光学装置３、ＰＢＳプリズム４と投射レンズ５が配置されることにより各部品の誤差を液晶パネル３１のアライメント調整にて補正することができ、高い精度の映像が提供できる。
【００４６】
また、２つの画像合成光学装置３が合成ベース３３とは別のダイクロイックプリズムベース３５上に固定しているため、各色の液晶パネル３１が故障しても、全体ではなく、ダイクロイックプリズムベース３５上の１つの画像合成光学装置３のみを交換することができ、メンテナンス性が向上する。
【００４７】
（実施の形態４）
以下に、第４の実施の形態における光学調整方法について説明する。第１の実施の形態にて説明したプロジェクターの構成については同じであるため、詳細は省略する。
【００４８】
図３は、実施の形態４における光学調整構造の概略構成を示す図である。本説明では、合成ベース３３に配置される画像合成光学装置３、ＰＢＳプリズム４、投射レンズ５における位置、姿勢の調整方法を説明する。画像合成光学装置３は、合成ベース３３とは別部品のダイクロイックプリズムベース３５に固定される。投射レンズ５に対して平行して配置される色分離光学装置２の各部品を平行側とし、投射レンズ５に対して直交して配置される色分離光学装置２の各部品を直交側とする。また、合成ベース３３はアルミダイキャスト等の剛性のある材料を使用する。
【００４９】
投射レンズ５は、合成ベース３３にネジ等により固定する。次にダイクロイックプリズム３０を固定するため、合成ベース３３上にダイクロイックプリズムベース３５をネジ等により固定する。次に投射レンズ５に対して合成ベース３３上にて、ＰＢＳプリズム４を回転させて位置及び姿勢を調整する。ＰＢＳプリズムの固定方法は、ＵＶ接着等により合成ベース３３上に固着される。このＰＢＳプリズム４に合わせて平行側及び直交側ダイクロイックプリズム３０を配置する。ダイクロイックプリズム３０は、ダイクロイックプリズムベース３５上にＵＶ接着等により固定される。この平行側及び直交側のダイクロイックプリズム３０についても、投射レンズ５に対して回転させて位置及び姿勢を調整する。また、平行側及び直交側ダイクロイックプリズム３０は各色の液晶パネル３１を取り付けることが出来るように、各面に対して２つ以上のピンのあるダイクロイックプリズムホルダー３４と固定されている。このダイクロイックプリズムホルダー３４は、ＰＢＴ等の抜き勾配が少なく精度良い樹脂の材料で出来ており、分割していても良い。また、ダイクロイックプリズム３０とダイクロイックプリズムホルダー３４とは、ＵＶ接着等により固着して固定され、各出射偏光板３２についても、ダイクロイックプリズムホルダー３４側に両面テープ等により固定されている。
【００５０】
次に各色の液晶パネル３１の調整について説明する。液晶パネルの調整は、各色の液晶パネル３１の位置、姿勢を調整するために、各色の液晶パネル３１の画素情報によりＸＹＺ軸とそのＸＹＺ軸を中心とする角回転角のΦ、θ、Ψの６軸調整を行う。投射レンズ５に対するフォーカス特性にて、Ｚ、Φ、θ軸を調整し、コンバーゼンス特性にてＸ、Ｙ、θ軸を調整する。
【００５１】
まず、平行側のダイクロイックプリズム３０上にて、緑の液晶パネル３１について、投射レンズ５上に投射される映像を見ながら、フォーカス特性について調整を行う。それに合わせて、直交側のダイクロイックプリズム３０上にて、先ほど調整した平行側の緑の液晶パネル３１の画像上に合わせて、直交側の緑の液晶パネル３１についてフォーカス特性及びコンバーゼンス特性の調整を行う。
【００５２】
次に平行側のダイクロイックプリズム３０上にて、赤及び青の液晶パネル３１についてフォーカス特性及びコンバーゼンス特性の調整を行う。同様に直交側のダイクロイックプリズム３０にて赤及び青の液晶パネル３１についてフォーカス及びコンバーゼンス特性の調整を行う。
【００５３】
そうすることで、１つの部品である合成ベース３３上に２つの画像合成光学装置３、ＰＢＳプリズム４と投射レンズ５が配置されることにより各部品の誤差を液晶パネル３１のアライメント調整にて補正することができ、高い精度の映像が提供できる。
【００５４】
また、２つの画像合成光学装置３が合成ベース３３とは別のダイクロイックプリズムベース３５上に固定しているため、各色の液晶パネル３１が故障しても、全体ではなく、ダイクロイックプリズムベース３５上の１つの画像合成光学装置３のみを交換することができ、メンテナンス性が向上する。
【産業上の利用可能性】
【００５５】
本発明にかかる画像表示素子の調整方法は、プロジェクターにおいて２系統の画像を合成する方法に利用できる。
【符号の説明】
【００５６】
１  光学装置
２  色分離光学装置
３  画像合成光学装置
４  ＰＢＳプリズム
５  投射レンズ
１０  光源（ランプ）
１１  コリメートレンズ
１２  第１レンズアレイ
１３  第２レンズアレイ
１４  偏光変換素子
１５  重畳レンズ
２１  第１ダイクロイックミラー
２２  第２ダイクロイックミラー
２３  反射ミラー
２４  第１リレーレンズ
２５  第２リレーレンズ
２６  フィールドレンズ
２７  入射偏光板
３０  ダイクロイックプリズム
３１  液晶パネル（画像表示素子）
３２  出射偏光板
３３  合成ベース
３４  ダイクロイックプリズムホルダー
３５  ダイクロイックプリズムベース
【図１】
2012118173.tif 000003
【図２】
2012118173.tif 000004
【図３】
2012118173.tif 000005